(57)【要約】【課題】  時計専用の高精度の水晶発振器や発振周波数の調整回路を用いることなく、マイクロコンピュータの制御のために使用されている基本クロック（内部クロック）を使用することにより、高精度の計時動作が実行できるようにする。【解決手段】  初期設定において高精度の外部標準クロック３を一時的に使用しこの外部標準クロック３を一定数カウントする時間を標準時間としこの標準時間に相当する基本クロック２のカウント数を標準時間カウント値２３として記憶装置１Ｍに記憶させておき、基本クロック２を分周して時計クロック１３を作成するにあたって、基準時間カウント値１１を記憶装置に記憶された標準時間カウント値２３を用いて補正する。【選択図】  図２
2005257494.tif 000002
【特許請求の範囲】
【請求項１】
内蔵した発振器により生成される基本クロックに同期して動作する演算処理部と記憶装置とを備えたマイクロコンピュータを使用して、プログラム制御により前記基本クロックを基準時間カウント値で分周して時計クロックを作成し、この時計クロックに基づいて計時動作を実行する時計精度補正制御装置であって、
初期設定において、高精度の外部標準クロックを一時的に使用し、この外部標準クロックを一定数カウントする時間を標準時間とし、この標準時間に相当する前記基本クロックのカウント数を標準時間カウント値として記憶装置に記憶させておき、
上記基本クロックを分周して時計クロックを作成するにあたっては、前記基準時間カウント値を、前記記憶装置に記憶された標準時間カウント値を用いて補正することを特徴とする時計精度補正制御装置。
【請求項２】
前記基準時間カウント値を、前記標準時間カウント値を用いて補正するにあたって、前記発振器の温度特性に基づく補正をも行うことを特徴とする請求項１記載の時計精度補正制御装置。
【請求項３】
内蔵した発振器により生成される基本クロックに同期して動作する演算処理部と記憶装置とを備えたマイクロコンピュータを使用して、プログラム制御により前記基本クロックを基準時間カウント値で分周して時計クロックを作成し、この時計クロックに基づいて計時動作を実行する時計精度補正制御装置を備えた電力量計であって、
初期設定において、高精度の外部標準クロックを一時的に使用し、この外部標準クロックを一定数カウントする時間を標準時間とし、この標準時間に相当する前記基本クロックのカウント数を標準時間カウント値として記憶装置に記憶させておき、
上記基本クロックを分周して時計クロックを作成するにあたっては、前記基準時間カウント値を前記記憶装置に記憶された標準時間カウント値を用いて補正するとともに、前記発振器の季節別の温度特性補正値を用いてさらに追加補正することを特徴とする電力量計。
【発明の詳細な説明】
【技術分野】
【０００１】
本発明は、マイクロコンピュータを使用したプログラム制御により基本クロックを分周して時計クロックを作成し、この時計クロックに基づいて計時動作を実行する時計精度補正制御装置及びこの時計精度補正制御装置を備えた電力量計に関するものである。
【背景技術】
【０００２】
従来、商用電源の使用料を計量するための電子式電力量計においては、時間帯別の計量を行なうために、計時動作部を内蔵したものが提案されている。この計時動作部は、商用電源が通電されているときには、この商用電源の周波数に同期して、この周波数を基準として計時動作を行っている。そして、この計時動作部は、商用電源が停電した場合には、内蔵している水晶発振器により生成される基本クロックに基づく計時動作を行う。このような計時動作部において、停電時における時計精度を保証するには、時計専用の高精度の水晶発振器及び発振周波数調整回路を使用して、高精度の時計クロックを生成する必要がある。このような高精度の水晶発振器及び発振周波数調整回路を使用することは、部品が高価であること及び高度の調整作業が必要となることにより、電力量計の製造の困難化及び製造コストの高騰を招来することとなる。
【０００３】
ところで、電力量計においては、内蔵されているマイクロコンピュータを用いた制御により、時間帯別の計量機能等を実現している。このようなマイクロコンピュータの動作においては、動作に必要な基本クロックを水晶発振器により生成して使用している。したがって、このような基本クロックを生成するための水晶発振器を、停電時に計時動作部が使用するための水晶発振器として使用することができそうに思える。
【０００４】
しかしながら、基本クロックを生成するために使用される水晶発振器が安価なものである場合では、固有発振周波数のばらつきが極めて大きい。したがって、この基本クロックを一定の数で分周して計時動作部で用いるための時計クロックを作成した場合には、水晶発振器の固有発振周波数のばらつきにより、計時動作部において高精度の計時動作を行うことができない。
【０００５】
そこで、従来、製造の困難化及び製造コストの高騰を招来することなく、高精度の計時動作を実現するための技術が提案されており、例えば、特許文献１には、マイクロコンピュータを使用したプログラム制御により、計時動作を実行する技術が記載されている。この特許文献１に記載された技術では、商用電源の通電時には、商用電源周波数のカウント数に対応する基準時間から時計クロックを作成して、計時動作を実行し、商用電源が停電した場合には、商用電源の通電時に予め記憶しておいた商用電源周波数の基準時間に相当する基本クロックのカウント数を用いて、基本クロックを分周して時計クロックを作成し、計時動作を続行するようにしている。また、特許文献２には、水晶発振器の発振周波数をプログラマブル分周器により分周して時計クロックを生成する技術が記載されている。この特許文献２に記載の技術においては、外部の調整装置を用いて標準分周比を設定したプログラマブル分周器の出力信号の周波数を高精度に計測し、この計測結果から水晶発振器の発振周波数を算出し、この水晶発振器の発振周波数に基づいて最適の分周比を計算してプログラマブル分周器に再設定することによって、時計クロックを補正している。
【特許文献１】特開平１０−３９０６０号公報
【特許文献２】特開平４−５０７９３号公報
【発明の開示】
【発明が解決しようとする課題】
【０００６】
ところで、前記特許文献１に記載された技術においては、時計クロックの高精度の補正を実現することはできない。すなわち、商用電源の周波数は、１日単位における平均時間の誤差は小さいが、瞬間的にはかなり大きな変動を生ずるという特性を有している。そのため、商用電源周波数の変動が瞬間的に大きいときに商用電源の停電が生ずると、記憶された基準時間の基本クロックのカウント数は大きく変動した商用電源の周波数に基づいたものとなってしまい、停電中における時計の誤差を小さく抑えることはできない。また、前記特許文献２に記載されているように、プログラマプル分周器に最適の分周比を再設定する技術においては以下の課題を有する。先ず第１に、この特許文献２に記載された技術では、プログラマブル分周器の出力信号の周波数を高精度に計測するための非常に高価な高精度周波数測定器が必要である。また、第２に、最適の分周比を計算するために高精度の乗算と除算を含む高度な演算機能が必要となるため、加算や減算程度の機能しか有さない安価なマイクロコンピュータを使用するプログラム制御では対応できず、外部に高精度の演算機能を有する調整装置が必要となるという問題がある。さらに、この技術においては、プログラマブル分周器に最適分周比を再設定するための周辺回路やコネクタ等が必要となり、装置側の構成の複雑化や製造コストの高騰が招来される。例えば、この特許文献２に記載されている技術を実行するためには、マイクロコンピュータ用の基本クロック（内部クロック）の周波数が１ＭＨｚである場合において、１Ｈｚの時計クロックを作成するために、この基本クロックを１，０００，０００分周する必要がある。そして、マイクロコンピュータ用の基本クロックの周波数１ＭＨｚが±１Ｈｚずれたことを１Ｈｚの時計クロックによって測定するためには、±０．０００００１Ｈｚの誤差を測定することが可能な高精度の周波数測定器が必要となる。そして、１Ｈｚの時計クロックで測定した誤差〔Ｈｚ〕の値を、０．０００００１〔Ｈｚ〕で除算する演算を行わないと、分周補正値を求めることができない。さらに、マイクロコンピュータ用の基本クロックの周波数は、マイクロコンピュータのシステムの個々で異なるため、分周補正値を求めるには、複雑な計算が必要となる。
【０００７】
そこで、本発明は、上述した従来の時計精度補正制御装置が有する課題を解決するために提案されたものであって、時計専用の高精度の水晶発振器や発振周波数の調整回路を用いることなく、マイクロコンピュータの制御のために使用されている基本クロック（内部クロック）を使用することにより、構成の複雑化による製造の困難化や製造コストの高騰を招来することなく、高精度の計時動作が実行できるようになされた時計精度補正制御装置を提供し、また、このような時計精度補正制御装置を備えた電力量計を提供することを目的とするものである。
【課題を解決するための手段】
【０００８】
本発明は、上記目的を達成するために提案されたものであって、第１の発明（請求項１記載の発明）は、時計精度補正制御装置に係るものであり、内蔵した発振器により生成される基本クロックに同期して動作する演算処理部と記憶装置とを備えたマイクロコンピュータを使用してプログラム制御により基本クロックを基準時間カウント値で分周して時計クロックを作成し、この時計クロックに基づいて計時動作を実行する時計精度補正制御装置であって、初期設定において高精度の外部標準クロックを一時的に使用し、この外部標準クロックを一定数カウントする時間を標準時間とし、この標準時間に相当する基本クロックのカウント数を標準時間カウント値として記憶装置に記憶させておき、基本クロックを分周して時計クロックを作成するにあたっては基準時間カウント値を記憶装置に記憶された標準時間カウント値を用いて補正することを特徴とするものである。
【０００９】
この時計精度補正制御装置においては、基準時間カウント値が記憶装置に記憶された標準時間カウント値を用いて補正されるので、時計専用の高精度の水晶発振器や発振周波数の調整回路を用いることなく、マイクロコンピュータの制御のために使用されている基本クロック（内部クロック）を使用することにより、高精度の計時動作を実行することができる。
【００１０】
なお、この時計精度補正制御装置において、初期設定において標準時間カウント値を記憶する記憶装置として不揮発性の記憶装置を使用すれば、商用電源の供給が遮断されても記憶された標準時間カウント値は失われない。そして、商用電源の停電時には、不揮発性メモリに記憶させておいた標準時間カウント値を使用して、高精度の時計クロックを生成することができ、高精度の計時動作を実行することができる。
【００１１】
また、第２の発明（請求項２記載の発明）は、上記第１の発明において、前記基準時間カウント値を、標準時間カウント値を用いて補正するにあたって、発振器の温度特性に基づく補正をも行うことを特徴とするものである。
【００１２】
この第２の発明に係る時計精度補正制御装置においては、基準時間カウント値の補正が発振器の温度特性にも基づいて行われるので、マイクロコンピュータの制御のために使用されている基本クロック（内部クロック）を使用することにより、さらに高精度の計時動作を実行することができる。
【００１３】
そして、第３の発明（請求項３記載の発明）は、電力量計に係るものであり、内蔵した発振器により生成される基本クロックに同期して動作する演算処理部と記憶装置とを備えたマイクロコンピュータを使用してプログラム制御により基本クロックを基準時間カウント値で分周して時計クロックを作成しこの時計クロックに基づいて計時動作を実行する時計精度補正制御装置を備えた電力量計であって、初期設定において高精度の外部標準クロックを一時的に使用しこの外部標準クロックを一定数カウントする時間を標準時間としこの標準時間に相当する基本クロックのカウント数を標準時間カウント値として記憶装置に記憶させておき、基本クロックを分周して時計クロックを作成するにあたっては基準時間カウント値を記憶装置に記憶された標準時間カウント値を用いて補正するとともに発振器の季節別の温度特性補正値を用いてさらに追加補正することを特徴とするものである。
【００１４】
この第３の発明においては、時計精度補正制御装置において基準時間カウント値が記憶装置に記憶された標準時間カウント値を用いて補正され、さらに、発振器の季節別の温度特性補正値を用いて追加補正されるので、時計専用の高精度の水晶発振器や発振周波数の調整回路を用いることなく、マイクロコンピュータの制御のために使用されている基本クロック（内部クロック）を使用することにより、高精度の計時動作を実行することができる。
【発明の効果】
【００１５】
第１の発明（請求項１記載の発明）に係る時計精度補正制御装置においては、基準時間カウント値が記憶装置に記憶された標準時間カウント値を用いて補正されるので、時計専用の高精度の水晶発振器や発振周波数の調整回路を用いることなく、マイクロコンピュータの制御のために使用されている基本クロック（内部クロック）を使用することにより、高精度の計時動作を実行することができる。なお、この時計精度補正制御装置において、初期設定において標準時間カウント値を記憶する記憶装置として不揮発性の記憶装置を使用すれば、商用電源の供給が遮断されても記憶された標準時間カウント値は失われない。そして、商用電源の停電時には、不揮発性メモリに記憶させておいた標準時間カウント値を使用して、高精度の時計クロックを生成することができ、高精度の計時動作を実行することができる。
【００１６】
また、第２の発明（請求項２記載の発明）に係る時計精度補正制御装置においては、基準時間カウント値の補正が発振器の温度特性にも基づいて行われるので、マイクロコンピュータの制御のために使用されている基本クロック（内部クロック）を使用することにより、さらに高精度の計時動作を実行することができる。
【００１７】
そして、第３の発明（請求項３記載発明）に係る電力量計においては、時計精度補正制御装置において基準時間カウント値が記憶装置に記憶された標準時間カウント値を用いて補正され、さらに、発振器の季節別の温度特性補正値を用いて追加補正されるので、時計専用の高精度の水晶発振器や発振周波数の調整回路を用いることなく、マイクロコンピュータの制御のために使用されている基本クロック（内部クロック）を使用することにより、高精度の計時動作を実行することができる。
【００１８】
すなわち、本発明は、時計専用の高精度の水晶発振器や発振周波数の調整回路を用いることなく、マイクロコンピュータの制御のために使用されている基本クロック（内部クロック）を使用することにより、構成の複雑化による製造の困難化や製造コストの高騰を招来することなく、高精度の計時動作が実行できるようになされた時計精度補正制御装置を提供することができ、また、このような時計精度補正制御装置を備えた電力量計を提供することができるものである。
【発明を実施するための最良の形態】
【００１９】
以下、本発明を実施するための最良の形態について図面を参照しながら説明する。
【００２０】
〔第１の実施の形態〕
この第１の実施の形態に係る時計精度補正制御装置は、図１に示すように、主要構成としてマイクロコンピュータ１を備えている。このマイクロコンピュータ１は、プログラム制御により動作する演算処理部（プログラム制御部）１Ａ及びプログラムやデータを記憶する記憶装置（プログラムデータ部）１Ｍを備えて構成されている。そして、このマイクロコンピュータ１には、この時計精度補正制御装置が備えている図示しない発振器により生成される基本クロック（内部クロック）２と、外部から高精度の外部標準クロック３とが入力される。外部標準クロック３は、この時計精度補正制御装置の初期設定時にのみ、一時的に入力される。そして、発振器により生成される基本クロック２に同期して動作するマイクロコンピュータ１を使用するこの時計精度補正制御装置は、図２に示すように、マイクロコンピュータ１において、計時動作を実行するための基本構成となる時計制御構成１０と、計時動作を高精度に補正するための補正制御構成２０とから構成される。
【００２１】
そして、上記時計制御構成１０は、基準時間カウント値１１、基準時間カウンタ１２、時計クロック１３及び計時動作部１４を有して構成されている。基準時間カウンタ１２は、基本クロック２が入力されると、基準時間カウント値１１が指定する基準時間までカウントすることにより、時計クロック１３を生成する。そして、計時動作部１４は、時計クロック１３をカウントすることにより、時計を動かす。すなわち、マイクロコンピュータ１は、プログラム制御により、基本クロック２を基準時間カウント値１１で分周して時計クロック１３を作成する。計時動作部１４においては、時計クロック１３に基づいて計時動作が実行される。また、上記補正制御構成２０は、標準クロックカウンタ２１、標準時間カウンタ２２及び標準時間カウント値２３を有して構成されている。標準クロックカウンタ２１は、高精度の外部標準クロック３が入力されると、標準時間までカウントする。標準時間カウンタ２２は、標準クロックカウンタ２１の標準時間に相当する時間だけ基本クロック２をカウントし、標準時間に相当する基本クロック２のカウント数を標準時間カウント値２３に記憶する。
【００２２】
この時計精度補正制御装置においては、補正制御構成２０において、標準時間カウント値２３から基準時間カウント値１１を生成することにより、時計クロック１３の誤差を標準時間に近い高精度に補正することができる。例えば、外部標準クロック３に高精度の２Ｈｚのクロックを使用し、標準時間を１秒とした場合においては、標準クロックカウンタ２１は、２カウントとなる。標準時間カウンタ２２は、標準クロックカウンタ２１の標準時間１秒に相当する時間だけ基本クロック２をカウントし、標準時間１秒に相当する基本クロック２のカウント数を標準時間カウント値２３として記憶装置１Ｍに記憶させる。そして、記憶装置１Ｍから標準時間カウント値２３を読出して、基準時間カウント値１１を生成することにより、時計クロック１３の誤差を、標準時間１秒に近い高精度に補正することができる。なお、高精度の外部標準クロック３は、上述したように、初期設定として標準時間カウント値２３を設定するときだけ一時的に入力され、通常の計時動作時には使用しない。また、標準時間カウンタ２２と基準時間カウンタ１２とは、共通の基本クロック２でカウント動作するカウンタであり、同時に動作することはないため、同一のカウンタによって兼用することができる。
【００２３】
ところで、一般のマイクロコンピュータで使用している半導体記憶装置においては、電源の供給が遮断されると、記憶していたデータが消失してしまう。そのため、初期設定における標準時間カウント値２３を通常の半導体記憶装置に記憶しておくと、電源の供給が遮断されたときに消失してしまうため、電源の供給が回復する毎に、初期設定を行って標準時間カウント値２３を再設定する必要が生ずる。このときには、外部標準クロック３を再び入力する必要がある。そこで、記憶装置１Ｍの少なくとも一部として不揮発性メモリを使用し、標準時間カウント値２３を不揮発性メモリに記憶しておけば、電源の供給が遮断されてもこの標準時間カウント値２３は消失しない。この場合には、電源の供給が回復する毎に初期設定として標準時間カウント値２３を再設定する必要はない。
【００２４】
〔第２の実施の形態〕
この第２の実施の形態においては、標準時間カウント値２３と温度条件とから、基準時間カウント値１１を作成するようにしている。すなわち、この実施の形態においては、図２に示すように、補正制御構成２０において、標準時間カウント値２３及び温度条件による温度特性補正値２４ａから基準時間カウント値１１を生成している。この温度特性補正値２４ａは、環境温度に対する発振器の発振特性（環境温度と発振周波数との関係）に基づいて予め設定されて記憶されており、図示しない温度センサによって得られる発振器周辺の環境温度に応じた温度特性補正値２４ａが選択されて入力される。すなわち、この実施の形態においては、時計クロック１３の誤差は、標準時間に相当する標準時間カウント値２３と温度条件による温度特性補正値２４ａとに基づいて高精度に補正される。
【００２５】
〔第３の実施の形態〕
この第３の実施の形態は、図３に示すように、上述の時計精度補正制御装置を内蔵した電力量計の実施の形態である。この電力量計は、図３に示すように、商用電源の電圧及び電流を電力に変換する電力変換回路５と、マイクロコンピュータ１とを有して構成される。電力変換回路５は、電圧及び電流を電力に変換し、電力変換パルス５３として出力し、マイクロコンピュータ１に送る。マイクロコンピュータ１は、計時動作により積算電力量を時間帯別に計量し、時刻及び計量結果を表示回路６により表示する。この電力量計においては、マイクロコンピュータ１において、上述した時計精度補正制御装置が構成されている。したがって、この電力量計においては、初期設定時のみにおいて、一時的に、高精度の外部標準クロック３が必要となる。この外部標準クロック３は、外部標準クロック回路４によって供給される。この外部標準クロック回路４は、発振周波数調整回路４１によって高精度に調整されて発振する高精度水晶発振器４２を有して構成されている。この高精度水晶発振器４２の発振周波数に基づいて分周器４３が動作し、外部標準クロック３が生成される。この外部標準クロック３は、上述したように、初期設定時のみにおいて、マイクロコンピュータ１に供給される。
【００２６】
なお、この電力量計においては、商用電源の通電時には、この商用電源の周波数に基づいて計時動作を行っている。電力変換回路５は、商用電源の周波数から商用電源クロック５１を生成してマイクロコンピュータ１に送る。また、この電力変換回路５からは、商用電源の停電をマイクロコンピュータ１に連絡するための停電検出信号５２がマイクロコンピュータ１に送られる。また、上記マイクロコンピュータ１は、上述した時計精度補正制御装置と同様に、図１に示すように、プログラム制御により動作する演算処理部１Ａと、プログラムやデータを記憶する記憶装置１Ｍを備えている。この電力量計におけるマイクロコンピュータ１のプログラム制御による動作においては、図４に示すように、上述した時計精度補正制御装置と同様に、時計制御構成１０及び補正制御構成２０を有している。これら時計制御構成１０及び補正制御構成２０は、図２に示した上述の時計精度補正制御装置における時計制御構成１０及び補正制御構成２０と同様のものである。この電力量計においては、時計制御構成１０の計時動作部１４からは、時計クロック１３に基づく計時動作の結果である時計情報が時間帯別計量制御部５０に入力されている。また、この時間帯別計量制御部５０には、電力変換回路５から、商用電源の電圧及び電流を電力に変換した電力変換パルス５３が入力される。この時間帯別計量制御部５０においては、電力変換パルス５３を、時計制御構成１０の計時動作部１４で作られた時計情報に基づいて時間帯別にカウントし、時間帯別電力量に変換する。この時間帯別電力量は、計時動作部１４で作られた時計情報とともに、表示制御部６０で処理されて、表示回路６により表示される。この電力量計において、電力変換回路５からの停電検出信号５２は、時計クロック１３に供給される。また、この電力量計においては、電力変換回路５は、商用電源クロック５１を商用電源周波数５４が指定する数で分周する周波数カウンタ５５を有している。この周波数カウンタ５５からの出力は、時計クロック１３に供給される。商用電源の通電時には、停電検出信号５２が通電を示す状態となる。このとき、時計クロック１３としては、基準時間カウンタ１２により生成されるものではなく、周波数カウンタ５５からの出力が選択される。
【００２７】
そして、商用電源の停電時には、停電検出信号５２が停電を示す状態となる。このとき、時計クロック１３は、基準時間カウンタ１２により生成されるものとなる。すなわち、基準時間カウンタ１２が、入力される基本クロック２に基づいて基準時間カウント値１１が指定する基準時間までカウントし、時計クロック１３を作成する。上記補正制御構成２０は、標準クロックカウンタ２１、標準時間カウンタ２２、標準時間カウント値２３及び季節別温度特性補正値２４ｂを有して構成されている。標準クロックカウンタ２１は、高精度の外部標準クロック３が入力されると、標準時間までカウントする。標準時間カウンタ２２は、標準クロックカウンタ２１の標準時間に相当する時間だけ基本クロック２をカウントし、標準時間に相当する基本クロック２のカウント数を標準時間カウント値２３に記憶する。この電力量計の時計精度補正制御装置においては、補正制御構成２０において、標準時間カウント値２３から基準時間カウント値１１を生成し、また、季節別温度特性補正値２４ｂに基づく補正を行うことにより、時計クロック１３の誤差を標準時間に近い高精度に補正することができる。例えば、外部標準クロック３に高精度の２Ｈｚのクロックを使用し、標準時間を１秒とした場合においては、標準クロックカウンタ２１は、２カウントとなる。標準時間カウンタ２２は、標準クロックカウンタ２１の標準時間１秒に相当する時間だけ基本クロック２をカウントし、標準時間１秒に相当する基本クロック２のカウント数を標準時間カウント値２３として記憶装置１Ｍに記憶させる。そして、記憶装置１Ｍから標準時間カウント値２３を読出して、基準時間カウント値１１を生成することにより、時計クロック１３の誤差を、標準時間１秒に近い高精度に補正することができる。季節別温度特性補正値２４ｂによる温度補正方法は、計時動作部１４によるカレンダー機能を使用し、電力量計の使用環境に合った季節の温度特性を季節別温度特性補正値２４ｂとして設定するもので、コストアップにつながる温度測定を行なわずに、環境温度に応じた補正を行うことができる。
【００２８】
なお、高精度の外部標準クロック３は、上述したように、初期設定として標準時間カウント値２３を設定するときだけ一時的に入力され、通常の計時動作時には使用しない。また、標準時間カウンタ２２と基準時間カウンタ１２とは、共通の基本クロック２でカウント動作するカウンタであり、同時に動作することはないため、同一のカウンタによって兼用することができる。
【図面の簡単な説明】
【００２９】
【図１】第１の実施の形態に係る時計精度補正制御装置の構成を示すブロック図である。
【図２】上記時計精度補正制御装置の構成及び機能を示すブロック図である。
【図３】第３の発明に係る電力量計の構成を示すブロック図である。
【図４】電力量計の構成及び機能を示す機能ブロック図である。
【符号の説明】
【００３０】
１    マイクロコンピュータ
１Ａ    演算処理部
１Ｍ    記憶装置
２    基本クロック
３    外部標準クロック
４    高精度時計クロック回路
５    電力変換回路
６    表示回路
１０    時計制御構成
１１    基準時間カウント値
１２    基準時間カウンタ
１３    時計クロック
１４    計時動作部
２０    補正制御構成
２１    標準クロックカウンタ
２２    標準時間カウンタ
２４ａ    温度特性補正値
２４ｂ    季節別温度特性補正値
２３    標準時間カウント値
４１    発振周波数調整回路
４２    高精度水晶発振器
４３    分周器
５０    時間帯別計量制御部
５１    商用電源クロック
５２    停電検出信号
５３    電力変換パルス
５４    商用電源周波数
５５    周波数カウンタ
６０    表示制御部
【図１】
2005257494.tif 000003
【図２】
2005257494.tif 000004
【図３】
2005257494.tif 000005
【図４】
2005257494.tif 000006